(57)【要約】【課題】  変化する照度条件下において、ディスプレイの画質及び可視性を維持する。【解決手段】  ディスプレイコントローラ２０が周辺光の状態に関連した光学的反応特性５０を求め、該光学的反応特性５０に基づいて電子機器１２のディスプレイ１４の輝度を自動的に調節する、電子機器１２の周りの周辺光の状態を検出するようになっているディスプレイコントローラ２０を備えた表示制御システム１０を提供する。【選択図】  図１
2006030995.tif 000002
【特許請求の範囲】
【請求項１】
ディスプレイコントローラが周辺光の状態に関連した光学的反応特性を求め、該光学的反応特性に基づいて電子機器のディスプレイの輝度を自動的に調節する、電子機器の周りの周辺光の状態を検出するようになっているディスプレイコントローラを備えた表示制御システム。
【請求項２】
前記ディスプレイコントローラが前記周辺光の状態の変化を検出するようになっている請求項１に記載の表示制御システム。
【請求項３】
前記ディスプレイコントローラが前記周辺光の状態の変化に関連した光学的反応特性を求めるようになっている請求項１記載の表示制御システム。
【請求項４】
前記ディスプレイコントローラが、前記周辺光の状態の変化に関連した光学的反応特性に基づいて前記周辺光の状態の変化に応答し、前記ディスプレイの輝度を自動的に調節するようになっている請求項１に記載の表示制御システム。
【請求項５】
前記ディスプレイコントローラが、前記光学的反応特性に基づいて前記電子機器が表示する画像のカラーバランスを自動的に調節するようになっている請求項１に記載の表示制御システム。
【請求項６】
前記ディスプレイコントローラが、前記光学的反応特性に基づいて前記電子機器が表示する画像のカラーバランスに対する変更速度を自動的に調節するようになっている請求項１に記載の表示制御システム。
【請求項７】
前記周辺光の状態を検出するようになっているセンサをさらに備える請求項１に記載の表示制御システム。
【請求項８】
前記ディスプレイコントローラが前記電子機器（１２）の周りの前記周辺光の状態を監視するようになっている請求項１に記載の表示制御システム。
【請求項９】
前記光学的反応特性が前記周辺光の状態に対応する人間の目の適応反応時間を示す請求項１に記載の表示制御システム。
【請求項１０】
前記光学的反応特性が前記周辺光の状態に対応する人間の目の色感度を示す請求項１に記載の表示制御システム。
【発明の詳細な説明】
【技術分野】
【０００１】
本発明は、表示制御システム及び方法に関し、特に、ディスプレイの輝度を自動的に調節する表示制御システム及び方法に関する。
【背景技術】
【０００２】
携帯電話、ノート型又はラップトップコンピュータ、プロジェクタ、個人情報端末、デスクトップコンピュータ、テレビ、及びその他等の電子機器は、一般に、様々な異なる方法（例えば、液晶ディスプレイ（ＬＣＤ）、陰極線管（ＣＲＴ）等）を用いて画像を表示するように構成される。さらに、係る電子機器が使用される環境は大幅に異なる。例えば、係る電子機器は、一般に、屋内及び／又は屋外で使用することが可能であり、それにより、電子機器を使用する場所の照度の状態が変化することになる。照度の状態は特定の環境内でも変化し得る（例えば、屋内の照明が暗くされたり、オフになっている、屋外で日が沈みつつある、もしくは曇天という状態）。したがって、変化する照度条件下で画質及び可視性を維持することは、電子機器にとって解決が難しい。
【発明の開示】
【発明が解決しようとする課題】
【０００３】
本発明では、ディスプレイコントローラが周辺光の状態に関する光学的反応特性を求め、この光学的反応特性に基づいて電子機器のディスプレイの輝度を自動的に調節する、電子機器の周りの周辺光の状態を検出するようになっているディスプレイコントローラを備えた表示制御システムを提供する。
【課題を解決するための手段】
【０００４】
本発明の一実施形態によると、表示制御システムは、電子機器の周りの周辺光の状態を検出するディスプレイコントローラを備える。ディスプレイコントローラは、周辺光の状態に関連した光学的反応特性を求め、この光学的反応特性に基づいて電子機器のディスプレイの輝度を自動的に調節する。
【０００５】
本発明の別の実施形態によると、表示制御システムは、電子機器の周りの周辺光の状態を検出するようにされたディスプレイコントローラを備える。ディスプレイコントローラは、周辺光の状態に関連した光学的反応特性を求め、この光学的反応特性に基づいて電子機器が表示する画像のカラーバランスを自動的に調節するようにも適合される。
【０００６】
本発明の別の実施形態によると、表示制御システムは、電子機器の周りの周辺光の状態の変化を検出するディスプレイコントローラを備える。ディスプレイコントローラは、周辺光の状態の変化に関連した光学的反応特性を求め、この光学的反応特性に基づいて電子機器のディスプレイの輝度の変更速度を自動的に調節するようにもできる。
【０００７】
本発明及びその利点をより完全に理解するために、これより、添付図面と併せて行われる以下の説明を参照する。
【発明を実施するための最良の形態】
【０００８】
本発明の好ましい実施形態及びその利点は、同様の番号が各種図面の同様の対応する部分に用いられる図面の中の図１〜図３を参照することにより、最もよく理解される。
【０００９】
図１は、本発明による表示制御システム１０の実施形態を示す図である。端的に、制御システム１０が、変化している照度状態（例えば、暗から明に、またその逆に）に適応する人間の目の能力、及び異なる照度条件下で異なる色を感知又は知覚する人間の目の能力等であるがこれらに限定されない、電子機器に対する周辺光の状態に対応する人間の目の反応特性に基づいて、電子機器の表示画像を制御し、自動的に調節する。
【００１０】
図１に示す実施形態では、システム１０は、表示装置１４を有する電子機器１２を備える。電子機器１２は、ラップトップもしくはノート型コンピュータ、個人情報端末、電話、カメラ、デスクトップコンピュータ、テレビ、又はプロジェクタ等であるがこれらに限定されない、画像を表示するように構成された任意のタイプの機器を含み得る。したがって、表示装置１４は、液晶ディスプレイ（ＬＣＤ）、陰極線管（ＣＲＴ）、又はプラズマディスプレイパネル等であるがこれらに限定されない、画像を表示する任意のタイプの装置を含み得る。
【００１１】
図１に示す実施形態では、電子機器１２は、表示装置１４を介して等、電子機器１２によって表示される画像の各種特性を制御するディスプレイコントローラ２０を備える。図１に示す実施形態では、ディスプレイコントローラ２０は、プロセッサ２２、メモリ２４、色制御ロジック２６、及び輝度制御ロジック２８を備える。色制御ロジック２６及び輝度制御ロジック２８は、ソフトウェア、ハードウェア、又はソフトウェア及びハードウェアの組み合わせを含み得る。動作に際して、ディスプレイコントローラ２０は、色制御ロジック２６及び／又は輝度制御ロジック２８を使用して、カラーバランス及び輝度、ならびに／又はコントラスト等であるがこれらに限定されない、電子機器１２による画像表示を、電子機器１２に対する周辺光の状態に基づいて、また人間の目の光学的反応特性に基づいて制御する。例えば、図１に示す実施形態では、電子機器１２は、電子機器１２に対する周辺光の状態を検出するセンサ３０を備える。したがって、電子機器１２を取り巻く周辺光の状態に基づいて、ディスプレイコントローラ２０は、人間の目に関連する光学的反応特性に適応するように表示画像の表示特性を自動的に調節する。
【００１２】
図１に示す実施形態では、メモリ２４は、周辺光の状態データ４０及び光学的反応特性データ５０を含む。周辺光の状態データ４０は、センサ３０が検出した周辺光の状態等、電子機器１２に対する周辺光の状態に関連する情報を含む。本発明のいくつかの実施形態では、周辺光の状態データ４０は、所定の時間期間を超えて生じている、電子機器１２に対する周辺光の状態に関連する情報を含み、それにより、ディスプレイコントローラ２０は、周辺光の状態データ４０の値の比較を行い、電子機器１２に対する周辺光の状態の変化を検出、又は他の方法で識別する。したがって、本発明のいくつかの実施形態では、ディスプレイコントローラ２０は、変化している光条件に対する人間の目の反応特性に基づいて、表示画像を動的に制御する。
【００１３】
光学的反応特性データ５０は、異なり、かつ／又は変化している光条件下での人間の目の反応特性に関連する情報を含む。例えば、照度条件が異なると、人間の目の各種機能が影響を受ける。例えば、照度条件は、虹彩が収縮又は拡大して、人間の目の網膜に入射する光量を制御するように、照度条件によって人間の目の虹彩が変化する。光のレベルも人間の目の色知覚又は感度に影響する。したがって、動作に際して、光学的反応特性データ５０は、各種光条件に関連する人間の目の反応に対応する情報を含み、それにより、ディスプレイコントローラ２０は、静的及び／又は動的な光条件に対する人間の目の反応に基づいて画像の表示を制御する。
【００１４】
図１に示す実施形態では、光学的反応特性データ５０は、適応反応時間６０及びカラーバランス感度６２を含む。適応反応時間６０は、人間の目が照度条件の変化に対応する、すなわち反応する時間期間に関連する情報を含む。例えば、暗から明に、またその逆になる光条件はそれぞれ、人間の目の網膜の感度を増減させ、一般に、人間の目が光条件の変化に適応するには特定の時間期間が必要である。カラーバランス感度６２は、異なる光条件で、各種の色を感知又は知覚する人間の目の能力に関連する情報を含む。例えば、人間の目は、明所視条件（光が豊富にあるとき）及び暗所視条件（光が少ないとき）等であるがこれらに限定されない異なる照度条件下で、別様に働く２種類の光受容器（円錐体及び桿状体）を備えている。したがって、異なる照度条件下では、人間の目は色を別様に感知又は知覚し、かつ／又は特定の色を感知又は知覚する能力を失う。したがって、図１に示す実施形態では、動作に際して、ディスプレイコントローラ２０は、適応反応時間６０及びカラーバランス感度６２を使用して、電子機器１２によって表示される画像の輝度及びカラーバランス、及び／又はカラーコントラストを、静的及び／又は動的な光条件に対する人間の目の反応に基づいて調節するように表示画像の表示特性を制御する。
【００１５】
したがって、動作に際して、ディスプレイコントローラ２０は、光学的反応特性データ５０によって規定される人間の目の特性に基づいて、表示画像の輝度、コントラスト、及び／又はカラーバランスを制御する。例えば、ディスプレイコントローラ２０は、色制御ロジック２６を使用して、センサ３０によって検出された電子機器１２に対する周辺光の状態に関連する光学的反応特性データ５０に基づいて、電子機器１２の表示画像のカラーバランスを制御する。ディスプレイコントローラ２０はまた、輝度制御ロジック２８を使用して、センサ３０によって検出された周辺光の状態に対応する光学的反応特性データ５０を使用して電子機器１２の表示画像の輝度及び／又はコントラストを制御する。本発明のいくつかの実施形態では、ディスプレイコントローラ２０は、センサ３０によって検出された周辺光の状態の変化に基づいて、電子機器１２の表示画像を動的に制御する。例えば、ディスプレイコントローラ２０は、色制御ロジック２６及び／又は輝度制御ロジック２８を介して、適応反応時間６０等の光学的反応特性データ５０にアクセスして、変化している光条件に対応する人間の目の反応特性を求め、それにより、表示画像に対する変更が、人間の目の反応速度に対応する速度で行われる。したがって、動作に際して、ディスプレイコントローラ２０は、光学的反応特性データ５０に規定される、変化している光条件に対する人間の目の反応に対応して、輝度変更及び／又はカラーバランス変更の速度を制御する。
【００１６】
動作に際して、電子機器１２の表示画像のカラーバランスを制御するために、ディスプレイコントローラ２０は、色制御ロジック２６を使用して、電子機器１２に対する静的及び／又は動的な照度条件を検出、又は他の方法で識別し、検出された静的及び／又は動的な照度条件に基づいて、光学的反応特性データ５０を介して人間の目の光学的反応特性を識別する。例えば、本発明のいくつかの実施形態では、ディスプレイコントローラ２０は、色制御ロジック２６を使用して、静的及び／又は動的な照度条件に応答する人間の目の知覚又は色感度を示すカラーバランス感度６２にアクセスし、カラーバランス感度６２に規定される光学的反応特性に基づいて電子機器１２の表示画像を調節する。例えば、本発明のいくつかの実施形態では、ディスプレイコントローラ２０は、光学的反応特性データ５０に示される、検出された光条件下で各種色を感知又は知覚する人間の目の能力に基づいて、表示画像の色相のレベル又は値を調節するように構成される。上で述べたように、電子機器１２に対する動的な光条件の変更に応答して、ディスプレイコントローラ２０は、色制御ロジック２６を使用して、適応反応時間６０にアクセスし、動的な照度条件変化に対する人間の目の対応時間に関連する光学的反応特性を求めて、表示画像に対するカラーバランス変更の速度を調節することにより、表示画像のカラーバランスが変化する速度を制御する。したがって、本発明のいくつかの実施形態では、ディスプレイコントローラ２０は、カラーバランスの変更を、周囲光変化に対する人間の目の反応又は対応時間に対応する速度で行うように適合される。
【００１７】
動作に際して、表示画像の輝度及び／又はコントラストを制御するために、ディスプレイコントローラ２０は、輝度制御ロジック２８を使用して、電子機器１２に対する静的及び／又は動的な照度条件を検出、又は他の方法で識別し、検出された静的及び／又は動的な周辺光の状態に基づいて、光学的反応特性データ５０を介して人間の目の光学的反応特性を識別して、表示画像の輝度及び／又はコントラストを制御する。上で述べたように、電子機器１２に対する動的な光条件変化の場合、ディスプレイコントローラ２０は、輝度制御ロジック２８を使用して適応反応時間６０にアクセスし、動的光条件変化の下での人間の目の反応時間（time responsiveness）に関連する光学的反応特性を求め、動的周辺光の状態に基づいて表示画像の輝度及び／又はコントラストを変更する速度を制御する。したがって、本発明のいくつかの実施形態では、ディスプレイコントローラ２０は、周囲光変化に対する人間の目の反応又は対応時間に基づいて、表示の輝度及び／又はコントラストの変更速度を制御するように適合される。
【００１８】
図２は、本発明による表示制御方法の実施形態を示す流れ図である。方法はブロック１００において開始され、ディスプレイコントローラ２０が、センサ３０を介して、電子機器１２に対する周辺光の状態を検出、又は他の方法で求める。ブロック１０２において、ディスプレイコントローラ２０は光学的反応特性データ５０にアクセスし、検出された周辺光の状態に基づいて、人間の目に関連する光学的反応特性を求める。ブロック１０４において、ディスプレイコントローラ２０は、検出された周辺光の状態に対応する光学的反応特性に基づいて、電子機器１２の表示画像のコントラスト及び／又は輝度を調節する。ブロック１０６において、ディスプレイコントローラ２０は、検出された周辺光の状態に関連する光学的反応特性に基づいて、電子機器１２の表示画像のカラーバランスを調節する。
【００１９】
図３は、本発明による表示制御方法の別の実施形態を示す流れ図である。方法はブロック２００において開始され、ディスプレイコントローラ２０が、センサ３０を介して、電子機器１２に対する周辺光の状態を監視する。判断ブロック２０２において、周辺光の状態変化が検出されるか否かが判断される。周辺光の状態変化が検出されない場合、方法はブロック２００に進み、ディスプレイコントローラ２０は、周辺光の状態を引き続き監視する。周辺光の状態変化がブロック２０２において検出される場合、方法は判断ブロック２０４に進み、周辺光の状態変化の速度が所定のしきい値を超えるか否かが判断される。例えば、本発明のいくつかの実施形態では、ディスプレイコントローラ２０は、周辺光の状態変化の速度が所定のしきい値を超える場合、表示特性変更速度を調節するように構成される。周辺光の状態変化の速度が所定のしきい値を超えない場合、方法はブロック２００に進み、ディスプレイコントローラ２０は引き続き、電子機器１２に対する周辺光の状態を監視する。周辺光の状態変化の速度が所定のしきい値を超える場合、方法はブロック２０６に進み、ディスプレイコントローラ２０は光学的反応特性データ５０にアクセスする。
【００２０】
ブロック２０８において、ディスプレイコントローラ２０は、検出された周辺光の状態変化に対応する光学的反応特性を求める。ブロック２１０において、ディスプレイコントローラ２０は、周辺光の状態変化に対応する光学的反応特性に基づいて、電子機器１２の表示の表示輝度を求める。ブロック２１２において、ディスプレイコントローラ２０は、周辺光の状態変化に対応する光学的反応特性に基づいて、表示画像のカラーバランスを求める。
【００２１】
ブロック２１４において、ディスプレイコントローラ２０は、周辺光の状態変化に対応する光学的反応特性に基づいて、適応反応時間を求める。例えば、上で説明したように、ディスプレイコントローラ２０は適応反応時間６０にアクセスして、変化している光条件に応答する人間の目の反応時間を求める。ブロック２１６において、ディスプレイコントローラ２０は、適応反応時間６０によって示される光学的反応特性に対応する速度で、電子機器１２の表示画像の輝度を調節する。ブロック２１８において、ディスプレイコントローラ２０は、適応反応時間６０によって示される光学的反応特性に対応する速度で、表示画像のカラーバランスを調節する。
【００２２】
したがって、本発明の実施形態は、静的及び／又は動的な光条件に応答して、係る光条件に対する人間の目の反応に基づいて電子機器の表示画像を自動的に調節することを可能にする。例えば、本発明の実施形態は、表示画像に対する輝度及び／又はコントラストの変更を、画像を表示している電子機器に対する光条件に対する人間の目の反応に対応付けることを可能にする。さらに、本発明の実施形態はまた、表示画像に対する輝度及び／又はコントラストの変更速度を、変化している光条件に対する人間の目の反応及び対応に基づいて制御することを可能にする。本発明のさらなる実施形態は、異なる光条件での色に対する人間の目の反応に基づいて、表示画像の色調節又はバランシングを可能にする。本発明の実施形態はまた、表示画像に対する色変更速度を、光条件の変化に対する人間の目の反応時間に基づいて制御することを可能にする。図２及び図３に示す方法では、特定の機能を省いてもよく、組み合わせてもよく、又は図２及び図３に示す順序とは異なる順序で実現してもよいことを理解されたい。また、図２及び図３に示す方法は、本明細書の他のどこかにおいて説明した他の特徴又は態様のいずれも包含するように変更し得ることを理解されたい。
【図面の簡単な説明】
【００２３】
【図１】本発明による表示制御システムの実施形態を示す図である。
【図２】本発明による表示制御方法の実施形態を示す流れ図である。
【図３】本発明による表示制御方法の別の実施形態を示す流れ図である。
【符号の説明】
【００２４】
１２  電子機器
１４  表示装置
２０  ディスプレイコントローラ
２２  プロセッサ
２４  メモリ
２６  色制御ロジック
２８  輝度制御ロジック
３０  センサ
４０  周辺光の状態データ
５０  光学的反応特性データ
６０  適応反応時間
６２  カラーバランス感度
【図１】
2006030995.tif 000003
【図２】
2006030995.tif 000004
【図３】
2006030995.tif 000005